(57)【要約】【課題】受信側のファクシミリ装置からの再送要求を実現したファクシミリ通信システム及びファクシミリ通信方法を提供する。【解決手段】ファクシミリデータを送信する送信側ＦＡＸ装置１０と、送信されたファクシミリデータを受信する受信側ＦＡＸ装置２０とで通信を行ない、ファクシミリデータの送信途中で通信障害が発生し、未送信データがあるとき、障害回復後、受信側ＦＡＸ装置２０は、ＦＡＸ−ＩＤを設定したＣＩＧを送信側ＦＡＸ装置１０に送信し、送信側ＦＡＸ装置１０は、ＣＩＧの未使用領域に設定されている文字に基づいて未送信データの再送要求の有無を判断する。【選択図】図７
2007243396.tif 000002
【特許請求の範囲】
【請求項１】
ファクシミリデータを送信する送信側ファクシミリ装置と、
前記送信側ファクシミリ装置から送信されたファクシミリデータを受信する受信側ファクシミリ装置とで通信を行なうファクシミリ通信システムであって、
前記受信側ファクシミリ装置は、該受信側ファクシミリ装置の識別番号を少なくとも含む複数桁で構成される信号を前記送信側ファクシミリ装置に送信し、
前記送信側ファクシミリ装置は、前記信号の未使用領域に基づいて再送要求の有無を判断する
ことを特徴とするファクシミリ通信システム。
【請求項２】
前記送信側ファクシミリ装置には、送信データ及び送信履歴が保存されており、
前記送信側ファクシミリ装置は、
前記受信側ファクシミリ装置から送信される前記信号を受信すると、
該受信側ファクシミリ装置の電話回線及び該信号に設定されている該受信側ファクシミリ装置の識別番号と、前記送信履歴に保存されている電話番号及び識別番号とを比較し、一致している場合に保存されている送信データを前記受信側ファクシミリに再送信する
ことを特徴とする請求項１に記載のファクシミリ通信システム。
【請求項３】
前記受信側ファクシミリ装置は、
該受信側ファクシミリ装置を識別するための信号であるＣＩＧに前記識別番号を設定する
ことを特徴とする請求項１または２に記載のファクシミリ通信システム。
【請求項４】
前記受信側ファクシミリ装置は、
前記ＣＩＧの前記識別番号が設定されていない未使用領域に所定の文字を設定することにより再送要求を行なう
ことを特徴とする請求項３に記載のファクシミリ通信システム。
【請求項５】
前記受信側ファクシミリ装置は、
前記ＣＩＧの前記識別番号が設定されていない未使用領域に、所定の文字と再送開始ページとを設定することにより任意のページから再送要求を行なう
ことを特徴とする請求項３に記載のファクシミリ通信システム。
【請求項６】
ファクシミリデータを送信する送信側ファクシミリ装置と、
前記送信側ファクシミリ装置から送信されたファクシミリデータを受信する受信側ファクシミリ装置とで通信を行なうファクシミリ通信方法であって、
前記ファクシミリデータの送信途中で通信障害が発生し、未送信データがあるとき、
障害回復後、
前記受信側ファクシミリ装置は、該受信側ファクシミリ装置の識別番号を少なくとも含み複数桁で構成された該受信側ファクシミリ装置を識別するための信号であるＣＩＧを前記送信側ファクシミリ装置に送信し、
前記送信側ファクシミリ装置は、前記ＣＩＧの未使用領域に基づいて未送信データの再送要求の有無を判断する
ことを特徴とするファクシミリ通信方法。
【請求項７】
前記送信側ファクシミリ装置には、送信データ及び送信履歴が保存されており、
前記送信側ファクシミリ装置は、
前記受信側ファクシミリ装置から送信される前記ＣＩＧを受信すると、
該受信側ファクシミリ装置の電話回線及び該ＣＩＧに設定されている該受信側ファクシミリ装置の識別番号と、前記送信履歴に保存されている電話番号及び識別番号とを比較し、一致している場合には、保存されている送信データを前記受信側ファクシミリに再送信する
ことを特徴とする請求項６に記載のファクシミリ通信方法。
【請求項８】
前記受信側ファクシミリ装置は、
前記ＣＩＧの前記識別番号が設定されていない未使用領域に、所定の文字と再送開始ページとを設定することにより任意のページからの再送要求を行なう
ことを特徴とする請求項６または７に記載のファクシミリ通信方法。
【発明の詳細な説明】
【技術分野】
【０００１】
本発明は、受信側のファクシミリ装置から再送要求を行なうファクシミリ通信システム及びファクシミリ通信方法に関するものである。
【背景技術】
【０００２】
一般に、公衆電話網に接続されるファクシミリ装置（以下、単にＦＡＸ装置と称する）は、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  −Ｔｅｌｅｃｏｍｍｕｎｉｃａｔｉｏｎ  Ｓｔａｎｄａｒｄｉｚａｔｉｏｎ  Ｓｅｃｔｏｒ：国際電気通信連合−電気通信標準化部門）が定めた規格である勧告Ｔ．３０等に従ってファクシミリ通信を行なっている。この勧告Ｔ．３０は、ＦＡＸ装置等のテレマティックサービス関連の通信手順を規格化したものである。
【０００３】
この勧告Ｔ．３０では、まず、呼が設定された後、所定の制御信号を順次交換すると共に、データが送信される。それから、通信の正常／異常を確認するために、ＦＡＸ装置では、信号を送信した後に、この信号に対する有効な信号が所定の時間内に受信されるか監視するようになっている。そして、有効な信号が所定の時間内に受信されない場合、ＦＡＸ装置は、送信した信号を再度送信（再送）する。
【０００４】
この再送を所定の回数繰り返したとしても、有効な信号が受信されない場合、ＦＡＸ装置は、通信障害が発生したと判断し、ファクシミリ通信が強制的に中止（異常終了）されるようになっている。ファクシミリ通信を異常終了させる通信障害には、回線品質の一時的な悪化の影響や相互交信性の問題等がある。そして、ファクシミリ通信が異常終了した場合には、ファクシミリ通信の復旧後に、送信側のＦＡＸ装置の再送機能によってデータを再送することが多い。
【０００５】
そのようなものとして、「ファクシミリ装置は、タイマー値変更情報送信部により全てのタイマー値変更情報を含むＮＳＦ信号を通知し、次にファクシミリ装置は、ＮＳＦ信号のタイマー値変更情報の中から最適なタイマー値変更情報を選択し、ＮＳＳ信号を通知する。次いで、ファクシミリ装置は、タイマー値変更情報検出部によりＮＳＳ信号のタイマー値変更情報を検出し、タイマー値変更部によりタイマー値変更情報に基づいてタイマーのタイマー値を変更し、変更されたタイマー値により、以降のファクシミリ通信を実行する」ようにしたファクシミリ通信方法が提案されている（たとえば、特許文献１参照）。
【０００６】
【特許文献１】特開平１１−３０８４２８号公報
【発明の開示】
【発明が解決しようとする課題】
【０００７】
特許文献１に記載のファクシミリ通信方法は、ファクシミリ通信が異常終了し、ファクシミリ通信の復旧後に再送する場合、送信側のＦＡＸ装置の再送機能に依存している。したがって、受信側のＦＡＸ装置は、送信側のＦＡＸ装置からの再送があったことで、初めて未送信データが送信されたことを認識する。つまり、異常終了した際の未送信データの再送を促す手段が、受信側のＦＡＸ装置に存在していないという問題があった。
【０００８】
また、送信側のＦＡＸ装置と受信側のＦＡＸ装置とが相互交信性を確保できない場合には、送信側のＦＡＸ装置では正常終了したと認識したとしても、受信側のＦＡＸ装置では異常終了と認識するときがある。つまり、送信側のＦＡＸ装置と受信側のＦＡＸ装置とで正常／異常の認識が異なる場合が存在するのである。このように、送信側のＦＡＸ装置が正常終了したと認識した場合には、未送信データがあったとしても、その未送信データは再送されないという問題があった。
【０００９】
本発明は、上記のような問題を解決するためになされたもので、受信側のファクシミリ装置からの再送要求を実現したファクシミリ通信システム及びファクシミリ通信方法を提供するものである。
【課題を解決するための手段】
【００１０】
本発明に係るファクシミリシステムは、ファクシミリデータを送信する送信側ファクシミリ装置と、送信側ファクシミリ装置から送信されたファクシミリデータを受信する受信側ファクシミリ装置とで通信を行なうファクシミリ通信システムであって、受信側ファクシミリ装置は、該受信側ファクシミリ装置の識別番号を少なくとも含む複数桁で構成される信号を送信側ファクシミリ装置に送信し、送信側ファクシミリ装置は、信号の未使用領域に基づいて再送要求の有無を判断することを特徴とする。
【００１１】
本発明に係るファクシミリ通信方法は、ファクシミリデータを送信する送信側ファクシミリ装置と、送信側ファクシミリ装置から送信されたファクシミリデータを受信する受信側ファクシミリ装置とで通信を行なうファクシミリ通信方法であって、ファクシミリデータの送信途中で通信障害が発生し、未送信データがあるとき、障害回復後、受信側ファクシミリ装置は、該受信側ファクシミリ装置の識別番号を少なくとも含み複数桁で構成された該受信側ファクシミリ装置を識別するための信号であるＣＩＧを送信側ファクシミリ装置に送信し、送信側ファクシミリ装置は、ＣＩＧの未使用領域に基づいて未送信データの再送要求の有無を判断することを特徴とする。
【発明の効果】
【００１２】
本発明に係るファクシミリシステムは、ファクシミリデータを送信する送信側ファクシミリ装置と、送信側ファクシミリ装置から送信されたファクシミリデータを受信する受信側ファクシミリ装置とで通信を行なうファクシミリ通信システムであって、受信側ファクシミリ装置は、該受信側ファクシミリ装置の識別番号を少なくとも含む複数桁で構成される信号を送信側ファクシミリ装置に送信し、送信側ファクシミリ装置は、信号の未使用領域に基づいて再送要求の有無を判断するので、受信側ファクシミリ装置から再送要求を実行することが可能となる。
【００１３】
本発明に係るファクシミリ通信方法は、ファクシミリデータを送信する送信側ファクシミリ装置と、送信側ファクシミリ装置から送信されたファクシミリデータを受信する受信側ファクシミリ装置とで通信を行なうファクシミリ通信方法であって、ファクシミリデータの送信途中で通信障害が発生し、未送信データがあるとき、障害回復後、受信側ファクシミリ装置は、該受信側ファクシミリ装置の識別番号を少なくとも含み複数桁で構成された該受信側ファクシミリ装置を識別するための信号であるＣＩＧを送信側ファクシミリ装置に送信し、送信側ファクシミリ装置は、ＣＩＧの未使用領域に基づいて未送信データの再送要求の有無を判断するので、受信側ファクシミリ装置から再送要求を実行することが可能となる。
【発明を実施するための最良の形態】
【００１４】
以下、本発明の実施の形態を図面に基づいて説明する。
図１は、本発明の実施の形態に係るファクシミリ通信システム１００の概略構成を示すシステム構成図である。図１に基づいて、ファクシミリ通信システム１００の構成について説明する。ファクシミリ通信システム１００は、送信側のファクシミリ装置（以下、送信側ＦＡＸ装置と称する）１０と受信側のファクシミリ装置（以下、受信側ＦＡＸ装置と称する）２０とがＰＳＴＮ（公衆電話交換回線網）５０を介して接続されて構成されている。
【００１５】
ここでは、送信側ＦＡＸ装置１０と受信側ＦＡＸ装置２０とがＰＳＴＮ５０を介して接続される公衆網ファクシミリ装置である場合を例に説明するが、これに限定するものではない。たとえば、送信側ＦＡＸ装置１０と受信側ＦＡＸ装置２０とがＩＰ（インターネットプロトコル）ネットワークを介して接続されるインターネットファクシミリ装置であってもよい。また、いずれか一方が公衆網ファクシミリ装置で、他方がインターネットファクシミリ装置であってもよい。この場合には、ゲートウェイ装置を介して公衆網ファクシミリ装置とインターネットファクシミリ装置とを接続するとよい。
【００１６】
送信側ＦＡＸ装置１０は、電話回線５１でＰＳＴＮ５０に接続されている。そして、この電話回線５１で接続される送信側ＦＡＸ装置１０の電話番号が「１１１１−１１１１」であることを示している。また、この送信側ＦＡＸ装置１０のＦＡＸ−ＩＤ（識別番号）が「１１１１１１１１」であることを示している。受信側ＦＡＸ装置２０は、電話回線５２でＰＳＴＮ５０に接続されている。そして、この電話回線５２で接続される受信側ＦＡＸ装置２０の電話番号が「２２２２−２２２２」であることを示している。また、この受信側ＦＡＸ装置２０のＦＡＸ−ＩＤ（識別番号）が「２２２２２２２２」であることを示している。
【００１７】
なお、ここでは、便宜的に電話番号とＦＡＸ−ＩＤとを同じにしている場合を例に示しているが、これに限定するものではない。つまり、このＦＡＸ−ＩＤは、任意に設定できるので、ＦＡＸ−ＩＤを適宜変更し設定するとよい。また、電話回線５１及び電話回線５２は、ナンバー・ディスプレイ契約であるものとする。このナンバー・ディスプレイとは、送信側ＦＡＸ装置１０の電話番号が、受信側ＦＡＸ装置２０の表示部７３（図２参照）に表示されるサービスである。
【００１８】
送信側ＦＡＸ装置１０は、受信側ＦＡＸ装置２０に送信するファクシミリデータ（送信データ）を蓄積する送信データ保存部１１を備えている。この送信データ保存部１１は、送信データを保存できるものであればよく、種類を特に限定するものではない。たとえば、ＨＤＤ（ハード・ディスク・ドライブ）や不揮発メモリ等で構成するとよい。また、送信側ＦＡＸ装置１０は、送信履歴１２を保存している。この送信履歴１２は、送信データ保存部１１に保存してもよく、他の記憶手段（後述する、メモリ７４等）に保存してもよい。
【００１９】
送信履歴１２には、送信先電話番号と、送信先ＦＡＸ−ＩＤと、送信枚数と、送信結果とが１つのレコードとして蓄積保存されている。つまり、この送信履歴１２の１段目のレコードには、送信先電話番号「２２２２２２２２」、送信先ＦＡＸ−ＩＤ「２２２２２２２２」、送信枚数「３」及び送信結果「ＮＧ」が書き込まれている。また、２段目のレコードには、送信先電話番号「２２２２２２２２」、送信先ＦＡＸ−ＩＤ「２２２２２２２２」、送信枚数「３」及び送信結果「ＯＫ」が書き込まれている。
【００２０】
この１段目のレコードでは、電話番号及びＦＡＸ−ＩＤが「２２２２２２２２」の受信側ＦＡＸ装置２０に「３」枚のデータを送信し、通信結果が「異常（ＮＧ）」であったことを示している。また、２段目のレコードでは、電話番号及びＦＡＸ−ＩＤが「２２２２２２２２」の受信側ＦＡＸ装置２０に「３」枚のデータを送信し、通信結果が「正常（ＯＫ）」であったことを示している。この送信履歴１２は、所定の期間経過後に消去してもよく、消去指示があるまで保存していてもよい。
【００２１】
受信側ＦＡＸ装置２０は、受信側ＦＡＸ装置２０で受信したファクシミリデータ（受信データ）を蓄積する受信データ保存部２１を備えている。この受信データ保存部２１は、受信データを保存できるものであればよく、種類を特に限定するものではない。たとえば、ＨＤＤや不揮発メモリ等で構成するとよい。また、受信側ＦＡＸ装置２０は、受信履歴２２を保存している。この受信履歴２２は、受信データ保存部２１に保存してもよく、他の記憶手段（後述する、メモリ７４等）に保存してもよい。
【００２２】
受信履歴２２には、送信元電話番号と、送信元ＦＡＸ−ＩＤと、受信枚数と、受信結果とが１つのレコードとして蓄積保存されている。つまり、この受信履歴２２の１段目のレコードには、送信元電話番号「１１１１１１１１」、送信元ＦＡＸ−ＩＤ「１１１１１１１１」、送信枚数「２」及び送信結果「ＮＧ」が書き込まれている。また、２段目のレコードには、送信元電話番号「１１１１１１１１」、送信元ＦＡＸ−ＩＤ「１１１１１１１１」、送信枚数「３」及び送信結果「ＯＫ」が書き込まれている。
【００２３】
この１段目のレコードでは、電話番号及びＦＡＸ−ＩＤが「１１１１１１１１」の送信側ＦＡＸ装置１０から「２」枚のデータを受信し、通信結果が「異常（ＮＧ）」であったことを示している。また、２段目のレコードでは、電話番号及びＦＡＸ−ＩＤが「２２１１１１１１１１」の送信側ＦＡＸ装置１０から「３」枚のデータを受信し、通信結果が「正常（ＯＫ）」であったことを示している。この受信履歴２２は、所定の期間経過後に消去してもよく、消去指示があるまで保存していてもよい。
【００２４】
なお、ここでは、送信側ＦＡＸ装置１０から受信側ＦＡＸ装置２０にファクシミリ送信する場合を例に示しているが、受信側ＦＡＸ装置２０から送信側ＦＡＸ装置１０にファクシミリ送信をすることもできる。この場合には、送信側ＦＡＸ装置１０と受信側ＦＡＸ装置２０とが入れ替わることになる。そして、送信データ保存部１１が受信データ保存部２１としての役目を果たすようにしてもよい。つまり、送信データ保存部１１と受信データ保存部２１とを一つの保存部としてもよく、別々の保存部としてもよい。
【００２５】
図２は、送信側ＦＡＸ装置１０及び受信側ＦＡＸ装置２０の概略構成を示すブロック図である。図２に基づいて、送信側ＦＡＸ装置１０及び受信側ＦＡＸ装置２０の構成について説明する。送信側ＦＡＸ装置１０及び受信側ＦＡＸ装置２０は、原稿画像を送受信するファクシミリ通信機能を有しているものである。なお、この送信側ＦＡＸ装置１０及び受信側ＦＡＸ装置２０は、ファクシミリ通信機能を有していればよく、デジタル複合機等であってもよい。
【００２６】
送信側ＦＡＸ装置１０及び受信側ＦＡＸ装置２０は、ＭＰＵ（マイクロプロセッサ）６０と、ＲＯＭ（リード・オンリ・メモリ）６１と、ＲＡＭ（ランダム・アクセス・メモリ）６２とを主要な回路として構成されている。ＭＰＵ６０は、送信側ＦＡＸ装置１０及び受信側ＦＡＸ装置２０を構成する各部を統括制御する機能を果たし、また、送受信される信号を識別し、その信号に基づいて判断する機能を果たす。ＲＯＭ６１は、ＭＰＵ６０が実行するプログラムや各種固定データを記憶している。ＲＡＭ６２は、ＭＰＵ６０がプログラムを実行する際に各種データを一時的に格納するワークメモリや、回転処理等を施すために画像データを少なくとも１ページ分格納するページメモリとして機能する。
【００２７】
また、ＭＰＵ６０には、画像読取部７０、プリンタ７１、操作部７２、表示部７３、メモリ７４、モデム７５及び通信制御部７６がバス８０を介して接続されている。画像読取部７０は、原稿を照射する光源と、原稿をその幅方向に１ライン分読み取るラインイメージセンサと、ライン単位の読取位置を原稿の長さ方向に移動させる移動手段と、原稿からの反射光をラインイメージセンサに導いて結像させるレンズやミラーから成る光学経路とを備えている。
【００２８】
このラインイメージセンサはＣＣＤ（Ｃｈａｒｇｅ  Ｃｏｕｐｌｅｄ  Ｄｅｖｉｃｅ）で構成される。ラインイメージセンサが出力する白黒２値のアナログ画像信号は、Ａ／Ｄ変換され、デジタルの画データとして取り込まれる。プリンタ７１は、電子写真方式のプリンタとして構成され、ＦＡＸ動作において受信した画データや、画像読取部７０で読み取って得た画データを記録紙上に記録する機能を果たす。
【００２９】
操作部７２は、電話番号（ＦＡＸ番号を含む）等を入力するためのテンキー、原稿の読み取り動作を開始させるためのスタートキー等の各種操作キーを備えており、ユーザからの操作を受け付ける機能を有する。表示部７３は、表面にタッチパネルを備えた液晶ディスプレイ等で構成されており、ユーザに各種の案内表示や状態表示、ナンバーディスプレイを行なう機能を有する。メモリ７４は、不揮発性メモリで構成されており、読み取って得た画データや受信した画データ等を記憶するようになっている。このメモリ７４に、送信履歴１２及び受信履歴２２を保存しておくとよい。
【００３０】
モデム７５は、ＩＴＵ−Ｔ勧告Ｔ．３０に従ったファクシミリ伝送制御手順に基づいて送信データの変調及び受信データの復調を行なう機能を果たすものである。通信制御部７６は、電話回線５１及び電話回線５２と接続して、それらの回線からの信号を検出したり、モデム７５からの信号を送信したりする機能を果たす。なお、送信データ保存部１０及び受信側ＦＡＸ装置２０が、インターネットファクシミリ装置である場合には、ＮＣＵを備えるとよい。このＮＣＵは、電話回線５１及び電話回線５２を閉結及び開放するとともに、相手先の電話番号に対応したダイヤル信号を送出する機能及び着信を検出する機能を果たすものである。
【００３１】
図３は、ファクシミリ通信手順を示すシーケンス図である。図３に基づいて、ＩＴＵ−Ｔ勧告Ｔ．３０に準拠したファクシミリ通信システム１００のファクシミリ通信手順について説明する。ＩＴＵ−Ｔ勧告Ｔ．３０伝送手順では、フェーズＡからフェーズＥまで遷移していくことでファクシミリデータを伝送することが可能となっている。このフェーズＡからフェーズＥの手順に従って、順次説明するものとする。
【００３２】
まず、送信側ＦＡＸ装置１０の操作部７２がユーザによって操作されて、送信側ＦＡＸ装置２０の電話番号がダイヤルされると、発呼動作が行われる。つまり、送信側ＦＡＸ装置１０は、発呼局となり、受信側ＦＡＸ装置２０の呼び出しを行なうＣＮＧ（Ｃａｌｌｉｎｇ  Ｔｏｎｅ：呼出信号）が通信制御部７６から送信される。このとき、送信側ＦＡＸ装置１０は、受信側ＦＡＸ装置２０の電話番号等を送信履歴１２として保存する。このようにしてフェーズＡ（呼設定）が開始される。
【００３３】
受信側ＦＡＸ装置２０でＣＮＧを受信（着信）すると、ファクシミリ通信が実行されることを認識する。受信側ＦＡＸ装置２０は、ＣＮＧを受信すると、ナンバーディスプレイ情報を取得して受信履歴２２として保存する。そして、受信側ＦＡＸ装置２０は、被発呼局となり、ＣＥＤ（Ｃａｌｌｅｄ  Ｔｏｎｅ：被発呼局確認信号）を通信制御部７６から送信側ＦＡＸ装置１０に向けて送信する。このＣＮＧ及びＣＥＤによって、送信側ＦＡＸ装置１０及び受信側ＦＡＸ装置２０のそれぞれがファクシミリ装置であるということが認識される。このように、フェーズＡの動作が行われる。
【００３４】
次に、フェーズＢ（プリメッセージ手順）に遷移する。送信側ＦＡＸ装置１０と受信側ＦＡＸ装置２０との間で通信接続が成立すると、受信側ＦＡＸ装置２０からＮＳＦ（Ｎｏｎ−Ｓｔａｎｄａｒｄ  Ｆａｃｉｌｉｔｉｅｓ：非標準機能識別信号）と、ＣＳＩ（Ｃａｌｌｅｄ  Ｓｕｂｓｃｒｉｂｅｒ  Ｉｄｅｎｔｉｆｉｃａｔｉｏｎ：被発呼局識別信号）と、ＤＩＳ（Ｄｉｇｉｔａｌ  Ｉｄｅｎｔｉｆｉｃａｔｉｏｎ  Ｓｉｇｎａｌ：ディジタル識別信号）とが通信制御部７６から送信される。ＮＳＦは、メーカ独自のファクシミリ装置の機能を示す信号である。ＣＳＩは、受信側ＦＡＸ装置２０のＦＡＸ−ＩＤを示す信号である（図４参照）。ＤＩＳは、受信側ＦＡＸ装置２０の備えている全機能を示す信号である。
【００３５】
これらの信号を受信した送信側ＦＡＸ装置１０は、ＣＳＩに含まれるＦＡＸ−ＩＤを送信履歴１２に保存する。また、送信側ＦＡＸ装置１０は、ファクシミリ通信が正常終了／異常終了のいずれであったとしても送信データを送信データ保存部１１に保存する。そして、送信側ＦＡＸ装置１０からは、ＴＳＩ（Ｔｒａｎｓｍｉｔｔｉｎｇ  Ｓｕｂｓｃｒｉｂｅｒ  Ｉｄｅｎｔｉｆｉｃａｔｉｏｎ：送信加入者識別番号）と、ＤＣＳ（Ｄｉｇｉｔａｌ  Ｃｏｍｍａｎｄ  Ｓｉｇｎａｌ：ディジタル命令信号）とが通信制御部７６から送信される。ＴＳＩは、送信側ＦＡＸ装置１０の電話番号を示す信号である。ＤＣＳは、ＤＩＳが示している機能の中から送信で使用する機能を選択し、その機能を受信側ＦＡＸ装置２０に示す信号である。
【００３６】
また、送信側ＦＡＸ装置１０は、ＤＣＳを送信した後に、高速モデムに切り替えて正常に通信ができるかどうかを試験するためのトレーニング信号（ＴＣＦ：Ｔｒａｉｎｉｎｇ  Ｃｈｅｃｋ  Ｆｉｅｌｄ）を通信制御部７６から受信側ＦＡＸ装置２０に送信する。受信側ＦＡＸ装置２０は、トレーニング信号を受信し、モデム７５の調整が終了すると、正常に送信動作が行われ受信準備が完了したことを示すＣＦＲ（Ｃｏｎｆｉｒｍａｔｉｏｎ  ｔｏ  Ｒｅｃｅｉｖｅ：受信準備確認信号）を通信制御部７６から送信側ＦＡＸ装置１０に送信する。
【００３７】
以上のように、フェーズＢの動作が行なわれる。すなわち、送信側ＦＡＸ装置１０が受信側ＦＡＸ装置２０の機能に応じた送信条件で送信するように設定された後、正常に通信が行なわれることが確認されると、フェーズＢからフェーズＣ（メッセージ伝送）に遷移する。フェーズＣでは、メッセージ伝送するための同期制御、エラーの検出及び訂正、伝送路監視を行い、画データ（１ページ目）そのものが送信信号として送信側ＦＡＸ装置１０から受信側ＦＡＸ装置２０に送信される。
【００３８】
次に、Ｄフェーズ（ポストメッセージ手順）に遷移する。Ｄフェーズでは、１ページの送信確認や複数ページの伝送手順が行なわれる。このＤフェーズには、３つの信号を送信する場合がある。１つ目の信号は、次のページの伝送があることを示すＭＰＳ（Ｍｕｌｔｉｐａｇｅ  Ｓｉｇｎａｌ：マルチページ信号）である。２つ目の信号は、伝送したページが最終ページであることを示すＥＯＰ（Ｅｎｄ  ｏｆ  Ｐｒｏｃｅｄｕｒｅ：手順終了信号）である。３つ目の信号は、パラメータを変更した後において次のページがあることを示すＥＯＭ（Ｅｎｄ  ｏｆ  Ｍｅｓｓａｇｅ：メッセージ終了信号）である。
【００３９】
受信側ＦＡＸ装置２０は、これらの信号を受け取ると、確認のためにＭＣＦ（Ｍｅｓｓａｇｅ  Ｃｏｎｆｉｒｍａｔｉｏｎ：メッセージ確認信号）を送信側ＦＡＸ装置１０に送信する。そして、受信した信号がＭＰＳであればフェーズＣへ戻り、ＥＯＭであればフェーズＢへ戻り、各フェーズを繰り返すことになる。また、受信した信号がＥＯＰであればフェーズＥへ遷移することになる。
【００４０】
図３では、ファクシミリ送信枚数が３ページある場合を例に示しているために、送信側ＦＡＸ装置１０は、ＭＰＳを受信側ＦＡＸ装置２０に送信する。ＭＰＳを受信した受信側ＦＡＸ装置２０は、ＭＣＦを送信側ＦＡＸ装置１０に送信する。そして、次のページを伝送するためにフェーズＣへ戻ることになる。フェーズＣに戻ったら、送信側ＦＡＸ装置１０は、画データ（２ページ目）そのものを送信信号として受信側ＦＡＸ装置２０に送信する。そうして、再度Ｄフェーズに遷移することになる。
【００４１】
送信側ＦＡＸ装置１０は、３ページ目を送信するためにＭＰＳを受信側ＦＡＸ装置２０に送信する。ＭＰＳを受信した受信側ＦＡＸ装置２０は、ＭＣＦを送信側ＦＡＸ装置１０に送信する。そして、３ページ目を伝送するためにフェーズＣへ戻ることになる。フェーズＣに戻ったら、送信側ＦＡＸ装置１０は、画データ（３ページ目）そのものを送信信号として受信側ＦＡＸ装置２０に送信する。
【００４２】
画データ（３ページ目）の送信が終了すると、送信側ＦＡＸ装置１０は、そのページが最終ページであることを示すＥＯＰを受信側ＦＡＸ装置２０に送信する。ＥＯＰを受信した受信側ＦＡＸ装置２０は、ＭＣＦを送信側ＦＡＸ装置１０に送信する。このようにしてフェーズＤが終了し、フェーズＥ（呼開放）に遷移する。フェーズＥでは、送信側ＦＡＸ装置１０から回線の切断を示すＤＣＮ（Ｄｉｓｃｏｎｎｅｃｔ：回線切断命令）が受信側ＦＡＸ装置２０に送信される。そして、ファクシミリ伝送が終了する。
【００４３】
図４は、ＣＳＩのフィールドの一例を示す説明図である。図４に基づいて、受信側ＦＡＸ装置２０が送信するＣＳＩについて説明する。ＣＳＩは、上述したように、受信側ＦＡＸ装置２０のＦＡＸ−ＩＤを示す信号であり、２０桁のフィールドで構成されている。そして、このＦＡＸ−ＩＤは、２０桁のフィールド内に設定される。なお、ＦＡＸ−ＩＤには、「０」〜「９」までの数字、「スペース」及び「＋」の文字が使用できる。ここでは、受信側ＦＡＸ装置２０のＦＡＸ−ＩＤ「２２２２２２２２」が左詰めで設定してある。そして、使用されない桁（未使用領域）には「スペース」が設定されている。
【００４４】
図５は、異常終了した場合のファクシミリ通信手順を示すシーケンス図である。なお、ここでは、３ページ目の送信中にファクシミリ通信が異常終了した場合を例に示すものとする。まず、送信側ＦＡＸ装置１０の操作部７２がユーザによって操作されて、送信側ＦＡＸ装置２０の電話番号がダイヤルされると、受信側ＦＡＸ装置２０の呼び出しを行なうＣＮＧが送信される。このとき、送信側ＦＡＸ装置１０は、受信側ＦＡＸ装置２０の電話番号等を送信履歴１２として保存する。
【００４５】
受信側ＦＡＸ装置２０がＣＮＧを受信すると、ファクシミリ通信が実行されることを認識する。受信側ＦＡＸ装置２０は、ＣＮＧを受信すると、ナンバーディスプレイ情報を取得して受信履歴２２として保存する。そして、受信側ＦＡＸ装置２０は、ＣＥＤを送信側ＦＡＸ装置１０に向けて送信する。このＣＮＧ及びＣＥＤによって、送信側ＦＡＸ装置１０及び受信側ＦＡＸ装置２０のそれぞれがファクシミリ装置であるということが認識される。
【００４６】
送信側ＦＡＸ装置１０と受信側ＦＡＸ装置２０との間で通信接続が成立すると、受信側ＦＡＸ装置２０からＮＳＦと、ＣＳＩと、ＤＩＳとが送信される。これらの信号を受信した送信側ＦＡＸ装置１０は、ＣＳＩに含まれるＦＡＸ−ＩＤを送信履歴１２に保存する。また、送信側ＦＡＸ装置１０は、ファクシミリ通信が正常終了／異常終了のいずれであったとしても送信データを送信データ保存部１１に保存する。
【００４７】
そして、送信側ＦＡＸ装置１０からは、ＴＳＩ及びＤＣＳが送信される。また、送信側ＦＡＸ装置１０は、ＤＣＳを送信した後に、トレーニング信号を送信する。受信側ＦＡＸ装置２０は、トレーニング信号を受信し、正常に送信動作が行われ受信準備が完了したことを示すＣＦＲを送信側ＦＡＸ装置１０に送信する。ＣＦＲを受信した送信側ＦＡＸ装置１０は、メッセージ伝送するための同期制御、エラーの検出及び訂正、伝送路監視を行なう。
【００４８】
それと共に、送信側ＦＡＸ装置１０は、画データ（１ページ目）そのものを送信信号として受信側ＦＡＸ装置２０に送信する。また、送信側ＦＡＸ装置１０は、ＭＰＳを受信側ＦＡＸ装置２０に送信する。ＭＰＳを受信した受信側ＦＡＸ装置２０は、ＭＣＦを送信側ＦＡＸ装置１０に送信する。それから、送信側ＦＡＸ装置１０は、画データ（２ページ目）そのものを送信信号として受信側ＦＡＸ装置２０に送信する。なお、画データ（３ページ目）の送信についても同様の手順で実行される。
【００４９】
この画データ（３ページ目）の送信中に、ファクシミリ通信を異常終了させる通信障害が発生する場合がある。たとえば、回線品質の一時的な悪化の影響や相互交信性の問題等によってファクシミリ通信ができない状態になる。このような場合には、ファクシミリ通信が復旧してから、送信途中や送信できなかったファクシミリデータを再送することが一般的である。そして、この再送は、送信側ＦＡＸ装置１０の再送機能に依存していることが多かった。なお、このとき、送信側ＦＡＸ装置１０は、ファクシミリ通信が異常終了した結果を送信履歴１２に保存している。
【００５０】
実施の形態１．
図６は、実施の形態１に係るファクシミリ通信手順の一例を示すシーケンス図である。図５で示したように、ファクシミリ通信が異常終了した場合、受信側ＦＡＸ装置２０は、受信履歴２２に保存してあるナンバーディスプレイ情報から送信側ＦＡＸ装置１０を特定する。ファクシミリ通信が復旧したら、受信側ＦＡＸ装置２０が発呼局となり、送信側ＦＡＸ装置１０にＣＮＧを送信する。被発呼局となる送信側ＦＡＸ装置１０は、ＣＮＧを受信すると、ナンバーディスプレイ情報を取得する。そして、送信側ＦＡＸ装置１０は、ファクシミリ通信が実行されることを認識し、ＣＥＤを受信側ＦＡＸ装置２０に送信する。
【００５１】
受信側ＦＡＸ装置２０と送信側ＦＡＸ装置１０との間で通信接続が成立すると、送信側ＦＡＸ装置１０からＮＳＦと、ＣＳＩと、ＤＩＳとが送信される。これらの信号を受信した受信側ＦＡＸ装置２０からは、ＮＳＣ（Ｎｏｎ−Ｓｔａｎｄａｒｄ  Ｆａｃｉｌｉｔｉｅｓ  Ｃｏｍｍａｎｄ：非標準機能命令信号）と、ＣＩＧ（Ｃａｌｌｉｎｇ  ｓｕｂｓｃｒｉｂｅｒ  ｉｄｅｎｔｉｆｉｃａｔｉｏｎ：起呼端末識別信号）と、ＤＴＣ（Ｄｉｇｉｔａｌ  ｔｒａｎｓｍｉｔ  ｃｏｍｍａｎｄ：ディジタル送信命令信号）とが送信される。ＮＳＣは、メーカ独自のファクシミリ装置の機能を示す命令信号である。ＣＩＧは、受信側ＦＡＸ装置２０の識別番号であるＦＡＸ−ＩＤを示す信号である（図７参照）。ＤＴＣは、送信命令を示す信号である。
【００５２】
ＣＩＧを受信した送信側ＦＡＸ装置１０は、そのＣＩＧを確認する。このＣＩＧに再送要求が設定されていれば、送信側ＦＡＸ装置１０は受信側ＦＡＸ装置２０が再送要求しているものと認識する（再送要求の設定については、図７で詳細に説明する）。そして、送信側ＦＡＸ装置１０は、この着信で取得したナンバーディスプレイ情報と送信履歴１２に保存されている受信側ＦＡＸ装置２０の電話番号とを比較する。また、ＣＩＧに設定されているＦＡＸ−ＩＤと送信履歴１２に保存されているＦＡＸ−ＩＤとを比較する。
【００５３】
比較した結果、全て一致している場合には、送信側ＦＡＸ装置１０は、送信データ保存部１１に保存されているファクシミリデータを再送信する。つまり、送信側ＦＡＸ装置１０は、ＴＳＩ及びＤＣＳを送信する。また、送信側ＦＡＸ装置１０は、ＤＣＳを送信した後に、トレーニング信号を送信する。受信側ＦＡＸ装置２０は、トレーニング信号を受信するとＣＦＲを送信側ＦＡＸ装置１０に送信する。そして、送信側ＦＡＸ装置１０は、画データ（１ページ目）そのものを送信信号として送信する。
【００５４】
また、送信側ＦＡＸ装置１０は、ＭＰＳを受信側ＦＡＸ装置２０に送信する。ＭＰＳを受信した受信側ＦＡＸ装置２０は、ＭＣＦを送信側ＦＡＸ装置１０に送信する。それから、送信側ＦＡＸ装置１０は、画データ（２ページ目）そのものを送信信号として受信側ＦＡＸ装置２０に送信する。なお、画データ（３ページ目）の送信についても同様の手順で実行される。
【００５５】
送信側ＦＡＸ装置１０は、画データ（３ページ目）の送信が終了すると、伝送したページが最終ページであることを示すＥＯＰを送信する。ＥＯＰを受信した受信側ＦＡＸ装置２０は、確認のためのＭＣＦを送信側ＦＡＸ装置１０に送信する。そして、送信側ＦＡＸ装置１０から回線の切断を示すＤＣＮが受信側ＦＡＸ装置２０に送信されてファクシミリ伝送が終了する。なお、通信障害が再発したような場合は、図６で示すシーケンスを繰り返せばよい。
【００５６】
図７は、ＣＩＧのフィールドの一例を示す説明図である。図７に基づいて、受信側ＦＡＸ装置２０が送信するＣＩＧについて説明する。ＣＩＧは、上述したように、受信側ＦＡＸ装置２０のＦＡＸ−ＩＤを示す信号であり、２０桁のフィールドで構成されている。そして、このＦＡＸ−ＩＤは、２０桁のフィールド内に設定される。なお、ＦＡＸ−ＩＤには、「０」〜「９」までの数字、「スペース」及び「＋」の文字が使用できる。ここでは、受信側ＦＡＸ装置２０のＦＡＸ−ＩＤ「２２２２２２２２」が左詰めで設定してある。そして、使用されない桁（未使用領域）には「＋」が設定されている。
【００５７】
この未使用領域に「＋」を設定することで、ファクシミリデータの再送要求を行なうようにしている。つまり、未使用領域には通常「スペース」が設定されているので（図３参照）、それと区別できる文字（ここでは「＋」）を設定し再送要求としているのである。このようにすれば、受信側ＦＡＸ装置２０からでも容易に再送要求を行なうことができ、送信側ＦＡＸ装置１０の再送機能に依存しなくて済むことになる。つまり、再送要求を受けた送信側ＦＡＸ装置１０は、ナンバーディスプレイで取得した電話回線と、ＣＩＧに設定されているＦＡＸ−ＩＤとから再送するファクシミリデータを特定し、それを再送するのである。
【００５８】
実施の形態２．
図８は、実施の形態２に係るファクシミリ通信手順の一例を示すシーケンス図である。なお、この実施の形態２についても、受信側ＦＡＸ装置２０から送信するＣＩＧの設定内容に基づいて再送要求を行なうようになっている。また、実施の形態１との相違点を中心に説明するものとする。
【００５９】
図５で示したように、ファクシミリ通信が異常終了した場合、受信側ＦＡＸ装置２０は、受信履歴２２に保存してあるナンバーディスプレイ情報から送信側ＦＡＸ装置１０を特定する。ファクシミリ通信が復旧したら、受信側ＦＡＸ装置２０が発呼局となり、送信側ＦＡＸ装置１０にＣＮＧを送信する。被発呼局となる送信側ＦＡＸ装置１０は、ＣＮＧを受信すると、ナンバーディスプレイ情報を取得する。そして、送信側ＦＡＸ装置１０は、ファクシミリ通信が実行されることを認識し、ＣＥＤを受信側ＦＡＸ装置２０に送信する。
【００６０】
受信側ＦＡＸ装置２０と送信側ＦＡＸ装置１０との間で通信接続が成立すると、送信側ＦＡＸ装置１０からＮＳＦと、ＣＳＩと、ＤＩＳとが送信される。これらの信号を受信した受信側ＦＡＸ装置２０からは、ＮＳＣと、ＣＩＧと、ＤＴＣとが送信される。ＣＩＧを受信した送信側ＦＡＸ装置１０は、そのＣＩＧを確認する。このＣＩＧには、再送要求が設定されていれば、送信側ＦＡＸ装置１０は受信側ＦＡＸ装置２０が再送要求しているものと認識する（再送要求の設定については、図９で詳細に説明する）。
【００６１】
そして、送信側ＦＡＸ装置１０は、この着信で取得したナンバーディスプレイ情報と送信履歴１２に保存されている受信側ＦＡＸ装置２０の電話番号とを比較する。また、ＣＩＧに設定されているＦＡＸ−ＩＤと送信履歴１２に保存されているＦＡＸ−ＩＤとを比較する。比較した結果、全て一致している場合には、送信側ＦＡＸ装置１０は、送信データ保存部１１に保存されているファクシミリデータを再送信する。
【００６２】
つまり、送信側ＦＡＸ装置１０は、ＴＳＩ及びＤＣＳを送信する。また、送信側ＦＡＸ装置１０は、ＤＣＳを送信した後に、トレーニング信号を送信する。受信側ＦＡＸ装置２０は、トレーニング信号を受信するとＣＦＲを送信側ＦＡＸ装置１０に送信する。そして、送信側ＦＡＸ装置１０は、画データ（３ページ目）そのものを送信信号として受信側ＦＡＸ装置２０に再送信する。
【００６３】
送信側ＦＡＸ装置１０は、画データ（３ページ目）の送信が終了すると、伝送したページが最終ページであることを示すＥＯＰを送信する。ＥＯＰを受信した受信側ＦＡＸ装置２０は、確認のためのＭＣＦを送信側ＦＡＸ装置１０に送信する。そして、送信側ＦＡＸ装置１０から回線の切断を示すＤＣＮが受信側ＦＡＸ装置２０に送信されてファクシミリ伝送が終了する。なお、通信障害が再発したような場合は、図８で示すシーケンスを繰り返せばよい。
【００６４】
実施の形態１との相違点は、受信側ＦＡＸ装置２０が送信されなかったページからの再送要求を行なうということである。つまり、実施の形態１では、受信側ＦＡＸ装置２０が再送要求を行なうと、送信側ＦＡＸ装置１０は再送要求があったことを認識し、受信側ＦＡＸ装置２０を特定した後に最初から送信をやり直すようになっているが、実施の形態２では、受信側ＦＡＸ装置２０が再送要求を行なうと、送信側ＦＡＸ装置１０は再送要求があったことを認識し、受信側ＦＡＸ装置２０が指定したページから送信するようになっている。これは、受信側ＦＡＸ装置２０が送信するＣＩＧの設定内容の違いによる。
【００６５】
図９は、ＣＩＧのフィールドの他の一例を示す説明図である。図９に基づいて、受信側ＦＡＸ装置２０が送信するＣＩＧについて説明する。ＣＩＧは、上述したように、受信側ＦＡＸ装置２０のＦＡＸ−ＩＤを示す信号であり、２０桁のフィールドで構成されている。そして、このＦＡＸ−ＩＤは、２０桁のフィールド内に設定される。なお、ＦＡＸ−ＩＤには、「０」〜「９」までの数字、「スペース」及び「＋」の文字が使用できる。ここでは、受信側ＦＡＸ装置２０のＦＡＸ−ＩＤ「２２２２２２２２」が左詰めで設定してある。そして、使用されない桁には「＋」が設定されている。
【００６６】
実施の形態１と同様に、この使用されない桁に「＋」を設定することで、ファクシミリデータの再送要求を行なうようにしている。さらに、このＣＩＧには、再送開始ページを右詰めで設定することで、再送開始ページを指定することができるようになっている。つまり、図９で示すように、右詰めで「３」と設定されていれば、送信側ＦＡＸ装置１０は３ページ目からの再送要求が行われているものと認識することができるのである。したがって、最初のページから全てを再送するのと比べて、ファクシミリ通信時間の短縮及び通信料金の低減をすることが可能となる。
【００６７】
なお、実施の形態１及び実施の形態２では、ＣＳＩ及びＣＩＧに左詰めでＦＡＸ−ＩＤを設定した場合を例に説明したが、これに限定するものではなく、任意の場所に設定してもよい。また、実施の形態１及び実施の形態２では、ＣＳＩ及びＣＩＧが２０桁で構成されている場合を例に説明したが、これに限定するものではなく、複数桁で構成されていればよい。
【００６８】
実施の形態１及び実施の形態２では、ＣＩＧの未使用領域に「＋」の文字を設定した場合に再送要求がされているものと判断しているが、これに限定するものではなく、ＣＩＧの未使用領域に使用可能な文字であればよい。また、実施の形態２では、右詰めで数字を設定し、その数字が再送開始ページである場合を例に説明したが、これに限定するものではない。たとえば、再送開始ページは、ＣＩＧの未使用領域であればよく、未使用領域の場所を特に限定するものではない。
【図面の簡単な説明】
【００６９】
【図１】ファクシミリ通信システムの概略構成を示すシステム構成図である。
【図２】ファクシミリ装置の概略構成を示すブロック図である。
【図３】ファクシミリ通信手順を示すシーケンス図である。
【図４】ＣＳＩのフィールドを示す説明図である。
【図５】異常終了した場合のファクシミリ通信手順を示すシーケンス図である。
【図６】ファクシミリ通信手順の一例を示すシーケンス図である。
【図７】ＣＩＧのフィールドの一例を示す説明図である。
【図８】ファクシミリ通信手順の一例を示すシーケンス図である。
【図９】ＣＩＧのフィールドの他の一例を示す説明図である。
【符号の説明】
【００７０】
１０  送信側ＦＡＸ装置、１１  送信データ保存部、１２  送信履歴、２０  受信側ＦＡＸ装置、２１  受信データ保存部、２２  受信履歴、５０  ＰＳＴＮ、５１  電話回線、５２  電話回線、６０  ＭＰＵ、６１  ＲＯＭ、６２  ＲＡＭ、７０  画像読取部、７１  プリンタ、７２  操作部、７３  表示部、７４  メモリ、７５  モデム、７６  通信制御部、８０  バス、１００  ファクシミリ通信システム。
【図１】
2007243396.tif 000003
【図２】
2007243396.tif 000004
【図３】
2007243396.tif 000005
【図４】
2007243396.tif 000006
【図５】
2007243396.tif 000007
【図６】
2007243396.tif 000008
【図７】
2007243396.tif 000009
【図８】
2007243396.tif 000010
【図９】
2007243396.tif 000011